(57)【要約】【課題】蓋体側のフランジ部の形状を工夫するだけで、収納したサラダやカットフルーツといった商品に豪華さを与えることのできる包装用容器を提供すること。【解決手段】合成樹脂シートを部分的に凹ませるか突出させることにより、蓋体２０のフランジ部２３の全体に、互いに独立した小突起２４を多数形成して、これら各小突起２４により光を乱反射させ得るようにしたこと。【選択図】図１
2008254756.tif 000002
【特許請求の範囲】
【請求項１】
収納部を有する容器本体と、これに嵌合または載置される蓋体とを、合成樹脂シートの真空または圧空成形によって形成するようにした包装用容器であって、
前記合成樹脂シートを部分的に凹ませるか突出させることにより、前記蓋体のフランジ部の全体に、互いに独立した小突起を多数形成して、これら各小突起により光を乱反射させ得るようにしたことを特徴とする包装用容器。
【発明の詳細な説明】
【技術分野】
【０００１】
本発明は、容器本体とこれに嵌合または載置される蓋体とからなる包装用容器に関し、特に、蓋体のフランジ部全体に小突起を設けた包装用容器に関するものである。
【背景技術】
【０００２】
容器本体とこれに嵌合または載置される蓋体とからなる包装用容器は、中身を完全に覆うことができて、しかも上下に多段積みできることから、スーパーやコンビニエンスストア等の各種店舗での包装資材として重宝されているものである。しかも、容器本体も、蓋体も、合成樹脂シートを真空または圧空成形（シート成形）することにより安価に提供できることから、所謂使い捨て容器として、消費者にも重宝されているものである。
【０００３】
このような包装用容器の容器本体も蓋体も、透明な合成樹脂シートによって成形して、消費者に中身をよく吟味してもらえるようにしているが、材料の合成樹脂シートは薄いものを使用しているから、弱くて安っぽく見えることは否めない。
【０００４】
実際、この種の包装用容器の剛性を高めるために、例えば特許文献１〜特許文献３に示されているような種々な工夫が凝らされている。
【特許文献１】特開２００６−３２１５３９公報、要約、代表図
【特許文献２】特開２００２−００２７９８号公報、要約、代表図
【特許文献３】特開２００１−２８７７２５号公報、要約、代表図
【発明の開示】
【発明が解決しようとする課題】
【０００５】
特許文献１には、「陳列したときに見栄えがよく、積み重ねても蓋が潰れにくく、持ちやすい容器の提供」を目的とした「包装用容器とその蓋及び電子レンジ加熱用包装用容器」が提案されており、図９にも示すように、「底部と側壁部からなる容器本体と、該容器本体の開口部に取り付けられる蓋とからなる包装用容器であって、前記容器本体は、開口部にフランジが延設され、対向する一部の側壁部のフランジに上向きに膨出する起立部が形成され、該起立部は、長手方向中央の起立部中央部とその両端側の起立部端部とからなり、前記起立部中央部の頂部は長手方向に略水平とされ、前記起立部端部は容器本体コーナー部に向けて前記フランジに対して３０〜７０度の角度で傾斜しており、閉蓋時の前記起立部頂部と蓋下面との間隔が０〜３ｍｍであることを特徴とする包装用容器」が提案されている。
【０００６】
これにより、この特許文献１に記載されている「包装用容器」によれば、「陳列したときに見栄えがよく、積み重ねても蓋が潰れにくく、持ちやすい」ものとなって、「弱く安っぽい」というイメージも多少改善されていると考えられるが、本発明者等の観察によると「見栄え」については、もう少し改善できるのではないかと考えられる。
【０００７】
すなわち、この特許文献１の容器では、容器本体も蓋体も、その「フランジ」が小さいため、例えば図１や図２に示すような斜め上方視や平面視では、図９にも示したように、「広がり」が少し足らなくて、しかもこの小さいフランジ部が目立っていないものであり、収納したサラダやカットフルーツといった商品に豪華さを与えないものとなっているからである。
【０００８】
また、特許文献２には、「蓋体の容器本体からの取り外しを簡単に行えて、しかもお弁当や総菜等の食品を収納するものとして非常に適したものとすることのできる包装用容器を簡単な構成によって提供すること」を目的としてなされた本願出願人の出願に係る「包装用容器」が提案されている。
【０００９】
この特許文献２にて提案されている「包装用容器」は、図１０にも示すように、「容器本体１０側のフランジ部１１に被押圧部１２（１２ａ、１２ｂ、または１２ｃ）を形成した」ことを主たる特徴とするものであり、「フランジ部」について、商品の豪華さを増幅させるという有効利用がなされていないものである考えられる。
【００１０】
この特許文献２の包装用容器でも、その「フランジ部」の有効利用が図られていないため、このフランジ部が目立っていないものであり、収納したサラダやカットフルーツといった商品に豪華さを与えないものとなっている。
【００１１】
さらに、特許文献３には、「蓋体を上方から押し付けるだけのワンタッチ操作で閉蓋でき、開蓋操作は、意識的に上下のツマミを引きはがす操作によって行うようにした合成樹脂フイルム製の包装用容器の提供」を目的としてなされた「包装用容器」が示されており、図１１に示すように、「容器本体１が、垂下壁の少なくとも四隅部分の上半部に外周方向に向かって突出する外向き突出部と、更に、前記フランジ縁の一部を外周方向に突出させて形成した下部ツマミ１５とを備え、蓋体２が、縦壁２２の少なくとも四隅部分の下半部に内周方向に向かって突出する内向き突出部２４と、更に、前記水平なフランジ部２３の一部を外周方向に突出させて形成した上部ツマミ２５とを備えている」といった構成を有するものである。
【００１２】
従って、この特許文献３の容器でも、下部ツマミ１５と上部ツマミ２５によって簡単に開放できる便利さはあるけれども、その「フランジ部」の有効利用が図られていないため、このフランジ部が目立っていないものであり、収納したサラダやカットフルーツといった商品に豪華さを与えないものとなっている。
【００１３】
そこで、本発明者等は、この種の包装用容器について、折角ある「フランジ部」を有効利用して、収納したサラダやカットフルーツといった商品に豪華さを与えるようにするにはどうしたらよいか、について種々検討を重ねてきた結果、本発明を完成したのである。
【００１４】
すなわち、本発明の目的とするところは、蓋体側のフランジ部の形状を工夫するだけで、収納したサラダやカットフルーツといった商品に豪華さを与えることのできる包装用容器を提供することにある。
【課題を解決するための手段】
【００１５】
以上の課題を解決するために、本発明の採った手段は、後述する最良形態の説明中で使用する符号を付して説明すると、
「収納部１３を有する容器本体１０と、これに嵌合または載置される蓋体２０とを、合成樹脂シートの真空または圧空成形によって形成するようにした包装用容器１００であって、
前記合成樹脂シートを部分的に凹ませるか突出させることにより、蓋体２０のフランジ部２３の全体に、互いに独立した小突起２４を多数形成して、これら各小突起２４により光を乱反射させ得るようにしたことを特徴とする包装用容器１００」
である。
【００１６】
すなわち、この包装用容器は、収納部１３を有する容器本体１０と、これに嵌合または載置される蓋体２０とを有するものであり、これらの容器本体１０及び蓋体２０を、合成樹脂シートの真空または圧空成形によって形成したものである。
【００１７】
容器本体１０については、種々な形状のものが適用できるが、後述する最良形態では、図４及び図５に示すように、底壁１２と、この底壁１２の周縁から立ち上がる側壁１１と、この側壁１１の上端に形成したフランジ部１４を有しているものである。また、このフランジ部１４の内外部分に対しては、後述する蓋体２０の内嵌合部あるいは外嵌合部を嵌合するための嵌合部または係合部が形成されるものであるが、詳細は省略する。勿論、この容器本体１０は、その側壁１１上に蓋体２０が単に載置されるタイプのものも対象となる。
【００１８】
また、この容器本体１０については、その側壁１１に、図４〜図８に示すように、互いに独立したポッチ３０を多数形成したものである。これらのポッチ３０は、合成樹脂シートを部分的に凹ませるか突出させることにより形成したものであるが、後述する最良形態では、これら各ポッチ３０を、図７及び図８に示すように、合成樹脂シートを部分的に突出させて形成したものである。
【００１９】
以上のような容器本体１０に嵌合または載置されるべき蓋体２０は、図１〜図４に示すように、容器本体１０側のフランジ部１４に対向することになるフランジ部２３と、このフランジ部２３から立ち上がる立ち上がり壁２２と、この立ち上がり壁２２の上端に形成した天板２１とからなるものである。
【００２０】
この蓋体２０については、図１及び図２に示すように、そのフランジ部２３の全周に、容器本体１０側のポッチ３０に似た多数の小突起２４が形成してあり、これらの小突起２４によって当該フランジ部２３の存在をアピールできるようにしてある。
【００２１】
各小突起２４については、それぞれが独立したものであるという条件さえ満たせば、種々な形状のものが適用できるものであり、円形や三角形は勿論、これらの小さなものを複数集めて一つの小突起２４とするようにしてもよいものである。また、各小突起２４は、図３の（ａ）にも示すように、フランジ部２３に対して上側に膨出するものであってもよいし、これとは反対に、図３の（ｂ）にも示すように、フランジ部２３に対して下側に膨出するものとして実施してもよい。
【００２２】
このようにフランジ部２３に形成した多数の小突起２４は、フランジ部２３に対して上側または下側に膨出するものであるから、これらが光を乱反射させることにより、図１及び図２に示したように、上方から、つまり蓋体２０を通して見た収納物に広がりを与えるものであり、豪華さを演出することになるものである。
【００２３】
また、これら各小突起２４は、図３に示したように、フランジ部２３に対して上側または下側に膨出するものであるから、フランジ部２３を指で摘んだ際の、つまり、当該蓋体２０を容器本体１０から外す際の「滑り止め」の役目を果たし、蓋体２０の開放を容易にすることは言うまでもない。
【００２４】
特に、各小突起２４が、図３の（ｂ）に示したように、フランジ部２３に対して下側に膨出するものであると、この直ぐ下には容器本体１０側のフランジ部１４が位置するから、両フランジ部１４・２３間に各小突起２４が隙間を形成することになる。両フランジ部１４・２３間に隙間が存在すれば、両フランジ部１４・２３間を指先で分け易くなるから、蓋体２０の容器本体１０からの取り外しが非常に容易となる。
【００２５】
従って、本発明に係る包装用容器１００は、蓋体２０のフランジ部２３の全体に、互いに独立した小突起２４を多数形成して、これら各小突起２４により光を乱反射させ得るようにしたので、フランジ部２３自体が実際よりも広がりを有したものに見えるように有効利用することができて、収納したサラダやカットフルーツといった商品に豪華さを与えることができるものとなっているのである。
【発明の効果】
【００２６】
以上の通り、本発明は、
「収納部１３を有する容器本体１０と、これに嵌合または載置される蓋体２０とを、合成樹脂シートの真空または圧空成形によって形成するようにした包装用容器１００であって、
前記合成樹脂シートを部分的に凹ませるか突出させることにより、蓋体２０のフランジ部２３の全体に、互いに独立した小突起２４を多数形成して、これら各小突起２４により光を乱反射させ得るようにしたこと」
に構成上の特徴があり、これにより、蓋体２０側のフランジ部２３の形状を工夫するだけで、収納したサラダやカットフルーツといった商品に豪華さを与えることのできる包装用容器１００を提供することができるのである。
【発明を実施するための最良の形態】
【００２７】
次に、上記のように構成した本発明を、図面に示した最良の形態である包装用容器１００について説明する。
【００２８】
図１〜図４には、本発明に係る包装用容器１００を構成する蓋体２０が示してあるが、この蓋体２０は、図４に示したように、これを容器本体１０上に嵌合または載置することによって包装用容器１００とされるものである。これらの容器本体１０及び蓋体２０は、それぞれ合成樹脂シートに真空または圧空成形（シート成形）を施すことによって形成したものである。この最良形態の蓋体２０、従って包装用容器１００は、図２にも示したように、平面視概略正方形状のものとしたものであるが、本発明は、このような正方形状のものに限らず、例えば平面視円形のものや長方形状、あるいは五角形状のものに対しても適用できることは言うまでもない。
【００２９】
なお、この包装用容器１００は、その蓋体２０の上側に、他の包装用容器１００の容器本体１０が積み上げられることになるものである。この積み上げ時の安定化を図るために、図５に示したように、平面視が四角形状の容器本体１０の底部四隅に、嵌合部１５を形成しておき、これらの嵌合部１５に嵌合されるべき積み上げ突部２５を、図１及び図２に示したように、蓋体２０天板２３と立ち上がり壁２２との境界部の四隅に形成してある。
【００３０】
また、これらの容器本体１０及び蓋体２０を形成する合成樹脂シートは、本来的には透明なものが使用されるが、ある程度の着色が施されたもの、あるいは所定の模様印刷が施されたものも使用可能である。
【００３１】
さて、容器本体１０は、図４及び図５に示したように、底壁１２と、この底壁１２の周縁から立ち上がる側壁１１と、この側壁１１の上端に形成したフランジ部１４を有しているものである。また、このフランジ部１４の内外部分に対しては、後述する蓋体２０の内嵌合部あるいは外嵌合部を嵌合するための嵌合部または係合部が形成されるものであるが、詳細は省略する。勿論、この容器本体１０は、その側壁１１上に蓋体２０が単に載置されるタイプのものも対象となる。
【００３２】
側壁１１の形状は、図４に示したように、上方になるに従って広く開口するように、断面端面が傾斜あるいは湾曲したものでよいことは当然として、「型抜き」ができる程度の平面状のものであってもよい。
【００３３】
この側壁１１には、図４〜図８に示したように、多数のポッチ３０が形成してある。これら各ポッチ３０は、材料である合成樹脂シートに、容器本体１０の全体形状とともにシート成形したものであり、互いに独立したものとしたものである。これら各ポッチ３０は、図７及び図８に示したように、内側、つまり容器本体１０の収納部１３側に膨出するものとして形成してもよいが、これとは反対に、側壁１１の外側に向けて膨出するものとして形成してもよいものである。
【００３４】
また、これら多数のポッチ３０の正面視形状については、互いに独立しているという条件を満たせば、図４に示したような形状のものの他、同じ大きさのポッチ３０を並べたり、各ポッチ３０を大小のものとしたり、複数の小さなポッチ３０を一つの組としてこの組を適宜分散させて構成したりしてもよいものである。
【００３５】
また、これら各ポッチ３０の配列としては、容器本体１０の全くランダムに形成する他、縦方向に列となるように形成して実施してもよい。縦の列としてポッチ３０を配列する場合においては、隣り合う列の各ポッチ３０が上下にジグザグとなるようにすると、側壁１１の座屈強度を高めることができる。
【００３６】
さらに、各ポッチ３０の形状を、図に示したように、それぞれ縦長のものとすることは、これらのポッチ３０を複数並べたときに、容器本体１０の縦方向に対する座屈強度をさらに高めることができて有利である。また、縦長のポッチ３０の複数を、図４にも示したように、縦に並べるようにすれば、容器本体１０の縦方向に対する座屈強度をより一層高めることができることになる。
【００３７】
そして、この包装用容器１００は、図４に示したように、容器本体１０の側壁１１を外側に傾斜させるとともに、これに形成した各ポッチ３０の底面３１の上下方向の角度を、側壁１１の傾斜角度より鉛直方向に近づけるようにしてもよいものである。容器本体１０の側壁１１を外側に傾斜させれば、当然に収納部１３の上部が大きく広がり、例えばサラダやカットフルーツの上面を大きく広げることができ、蓋体２０を通して見た内容物が豪華に見えることになるからである。
【００３８】
その反面、側壁１１を外側に傾斜させた当該包装用容器１００は、これを例えば蓋体２０の嵌合時のように、上から押さえたときに、加えられた力によって座屈し易くなる。しかしながら、側壁１１に形成した各ポッチ３０では、その底面３１の上下方向の角度を、図８に示したように、側壁１１の傾斜角度より鉛直方向に近づくから、このポッチ３０の、言わば立ち上がった状態になっている底面によって上からの力に耐え得るのである。
【００３９】
以上のような何れの形状のものであっても、また、凹みか突出かに拘わらず、各ポッチ３０は合成樹脂シートを内外何れかに膨出させて形成したものであるから、光を乱反射させることになるものである。この場合、各ポッチ３０は互いに独立しているのであるから、光が当たった側壁１１に存在している数だけ、乱反射部分を形成することになる。
【００４０】
以上のような容器本体１０に嵌合または載置されるべき蓋体２０は、図１及び図２にも示すように、容器本体１０側のフランジ部１４に対向することになるフランジ部２３と、このフランジ部２３から立ち上がる立ち上がり壁２２と、この立ち上がり壁２２の上端に形成した天板２１とからなるものである。
【００４１】
本最良形態における蓋体２０については、その全周にポッチ３０に似た多数の小突起２４を形成して、当該フランジ部２３の存在をアピールできるようにしてある。この蓋体２０側のフランジ部２３に形成した多数の小突起２４は、これらが光を乱反射させることにより、上方から、つまり蓋体２０を通して見た収納物に広がりを与えるものであり、豪華さを演出することになるものである。
【００４２】
各小突起２４については、それぞれが独立したものであるという条件さえ満たせば、種々な形状のものが適用できるものであり、図３の（ａ）に示したように、フランジ部２３に対して上側に膨出するものであってもよいし、これとは反対に、図３の（ｂ）に示したように、フランジ部２３に対して下側に膨出するものとして実施してもよい。
【００４３】
このようにフランジ部２３に形成した多数の小突起２４は、原料の合成樹脂シートに対して上側または下側に膨出するものであるから、これらが光を乱反射させることにより、図１及び図２に示したように、上方から、つまり蓋体２０を通して見た収納物に広がりを与えるものであり、豪華さを演出するのである。
【００４４】
また、これら各小突起２４は、図３に示したように、フランジ部２３に対して上側または下側に膨出するものであるから、フランジ部２３を指で摘んだ際の、つまり、当該蓋体２０を容器本体１０から外す際の「滑り止め」の役目を果たすものでもある。
【００４５】
特に、各小突起２４が、図３の（ｂ）に示したように、フランジ部２３に対して下側に膨出するものであると、この直ぐ下には容器本体１０側のフランジ部１４が位置するから、両フランジ部１４・２３間に各小突起２４が隙間を形成することになる。両フランジ部１４・２３間に隙間が存在すれば、両フランジ部１４・２３間を指先で分け易くなるから、蓋体２０の容器本体１０からの取り外しを非常に行うことができる。
【図面の簡単な説明】
【００４６】
【図１】本発明に係る包装用容器を構成している蓋体の斜視図である。
【図２】同蓋体の平面図である。
【図３】図１中の３−３線に沿ってみた部分拡大縦断面図である。
【図４】本発明に係る包装用容器の正面図である。
【図５】同包装用容器を構成している容器本体の平面図である。
【図６】同容器本体の要部を拡大して示した部分正面図である。
【図７】図６中の１−１線に沿ってみた部分拡大縦断面図である。
【図８】図６中の２−２線に沿ってみた部分拡大縦断面図である。
【図９】従来の技術を示す斜視図である。
【図１０】従来の他の技術を示す部分拡大断面図である。
【図１１】従来のさらに他の技術を示す斜視図である。
【符号の説明】
【００４７】
１００    包装用容器
１０    容器本体
１１    側壁
１２    底壁
１３    収納部
１４    フランジ部
１５    嵌合部
２０    蓋体
２１    天板
２２    立ち上がり壁
２３    フランジ部
２４    小突起
２５    積み上げ突部
３０    ポッチ
３１    底面
【図１】
2008254756.tif 000003
【図２】
2008254756.tif 000004
【図３】
2008254756.tif 000005
【図４】
2008254756.tif 000006
【図５】
2008254756.tif 000007
【図６】
2008254756.tif 000008
【図７】
2008254756.tif 000009
【図８】
2008254756.tif 000010
【図９】
2008254756.tif 000011
【図１０】
2008254756.tif 000012
【図１１】
2008254756.tif 000013